(57)【要約】【課題】  バリエーションに富んだアラーム方法を設定可能とする。【解決手段】  携帯電話機は、複数のアラーム時刻を同一グループに関連付け（Ｓ０９）、複数のアラーム時刻が関連付けられたグループに起動または解除を設定し（Ｓ１１）、起動に設定されているグループに関連付けられている複数のアラーム時刻のいずれかになると警告を発する。複数のアラーム時刻に警告を発する設定またはその設定の解除をすることができるので、バリエーションに富んだアラーム方法を設定することが可能な時計を提供することができる。【選択図】        図４
2008249474.tif 000002
【特許請求の範囲】
【請求項１】
複数のアラーム時刻を同一グループに関連付けるグループ化手段と、
前記グループ化手段により複数の前記アラーム時刻が関連付けられた前記グループに起動または解除を設定するための設定手段と、
起動に設定されている前記グループに関連付けられている複数の前記アラーム時刻のいずれかになると警告を発する警告手段と、を備えた時計。
【請求項２】
グループ停止指示を受け付けるグループ停止指示受付手段と、
前記グループが起動に設定されると第１の状態に設定し、起動に設定されている前記グループに関連付けられている複数の前記アラーム時刻の最先の前記アラーム時刻より後に前記グループ停止指示が受け付けられると前記第１の状態から第２の状態に切換える状態切換手段と、をさらに備え、
前記警告手段は、前記第１の状態に設定されていることを条件に警告を発する、請求項１に記載の時計。
【請求項３】
前記状態切換手段は、前記アラーム時刻が経過後に、前記第２の状態に設定されている場合、前記第１の状態に切換える、請求項２に記載の時計。
【請求項４】
複数のアラーム時刻を同一グループに関連付けるグループ化手段と、
グループ停止指示を受け付けるグループ停止指示受付手段と、
前記グループ化手段により前記グループに関連付けられている複数の前記アラーム時刻の最先の前記アラーム時刻より後に前記グループ停止指示が受け付けられた時に第１の状態から第２の状態に切換える状態切換手段と、
前記グループに関連付けられている複数の前記アラーム時刻のいずれかになると、前記第１の状態に設定されていることを条件に警告を発する警告手段と、を備えた時計。
【請求項５】
前記グループ化手段により複数の前記アラーム時刻が関連付けられた前記グループに起動または解除を設定するための設定手段をさらに備え、
前記警告手段は、前記グループが前記起動に設定されていることを条件に、前記グループに関連付けられている複数の前記アラーム時刻のいずれかになると警告を発する、請求項４に記載の時計。
【請求項６】
前記切換設定手段は、前記アラーム時刻が経過後に、前記第２の状態に設定されている場合、前記第１の状態に切換える、請求項５に記載の時計。
【請求項７】
前記警告を停止させるための警告停止指示を受け付ける停止指示受付手段をさらに備え、
前記警告手段は、前記警告停止指示の受け付けに応じて前記警告を停止する、請求項１〜６のいずれかに記載の時計。
【請求項８】
複数のアラーム時刻を同一グループに関連付けるステップと、
複数のアラーム時刻が関連付けられた前記グループに起動または解除を設定するステップと、
前記起動に設定されている前記グループに関連付けられている複数の前記アラーム時刻のいずれかになると警告を発するステップと、をコンピュータに実行させる警告プログラム。
【請求項９】
複数のアラーム時刻を同一グループに関連付けるステップと、
グループ停止指示を受け付けるステップと、
前記グループに関連付けられている複数の前記アラーム時刻の最先の前記アラーム時刻より後に前記グループ停止指示が受け付けられた時に第１の状態から第２の状態に切換えるステップと、
前記グループに関連付けられている複数の前記アラーム時刻のいずれかになると、前記第１の状態に設定されていることを条件に警告を発するステップと、をコンピュータに実行させる警告プログラム。
【発明の詳細な説明】
【技術分野】
【０００１】
この発明は時計および警告プログラムに関し、特に複数の時刻にアラームを発する機能を備えた時計およびその時計で実行される警告プログラムに関する。
【背景技術】
【０００２】
近年、市場に流通している携帯電話機は、アラーム時刻を設定するとアラーム時刻にアラーム音を発する目覚まし機能を備えており、さらにアラーム時刻後に予め設定された時間間隔でアラームを発するスヌーズアラーム機能を備えたものがある。また、スヌーズアラーム機能における時間間隔を、スヌーズアラーム機能を有効にしたまま変更することを可能にしたモーニング設定方法が特開２００５−３８７４６号公報（特許文献１）に記載されている。このモーニング設定方法は、モーニングコールを鳴らせる段階と、前記モーニングコールが鳴る途中に所定のキーが入力されると、該当キーの入力値及び基本時間間隔を利用して、新しいモーニングコール間隔を再設定する段階と、前記再設定されたモーニングコール間隔でモーニングコールを鳴らせる段階とからなる。
【０００３】
しかしながら、従来のモーニングコール設定方法は、音の種類、音の大きさ等のアラーム方法が単一のため、同じアラーム方法を繰り返すことしかできない。このため、時刻を異ならせて発するアラームの方法がすべて同じなので、ユーザが回数を数えておくか、または表示された時刻を見るなどしなければ、現在の時刻を知ることができないといった問題がある。
【特許文献１】特開２００５−３８７４６号公報
【発明の開示】
【発明が解決しようとする課題】
【０００４】
この発明は上述した問題点を解決するためになされたもので、この発明の目的の１つは、バリエーションに富んだアラーム方法を設定可能な時計および警告プログラムを提供することである。
【０００５】
この発明の他の目的は、操作性を向上させた時計および警告プログラムを提供することである。
【課題を解決するための手段】
【０００６】
上述した目的を達成するためにこの発明のある局面によれば、時計は、複数のアラーム時刻を同一グループに関連付けるグループ化手段と、グループ化手段により複数のアラーム時刻が関連付けられたグループに起動または解除を設定するための設定手段と、起動に設定されているグループに関連付けられている複数のアラーム時刻のいずれかになると警告を発する警告手段と、を備える。
【０００７】
この局面に従えば、複数のアラーム時刻が同一グループに関連付けられ、グループに起動または解除が設定される。そして、起動に設定されているグループに関連付けられている複数のアラーム時刻のいずれかになると警告が発せられる。このため、複数のアラーム時刻に警告を発する設定またはその設定の解除をすることができるので、バリエーションに富んだアラーム方法を設定することが可能な時計を提供することができる。
【０００８】
好ましくは、グループ停止指示を受け付けるグループ停止指示受付手段と、グループが起動に設定されると第１の状態に設定し、起動に設定されているグループに関連付けられている複数のアラーム時刻の最先のアラーム時刻より後にグループ停止指示が受け付けられると第１の状態から第２の状態に切換える状態切換手段と、をさらに備え、警告手段は、第１の状態に設定されていることを条件に警告を発する。
【０００９】
この局面に従えば、起動に設定されているグループに関連付けられている複数のアラーム時刻の最先のアラーム時刻より後にグループ停止指示が受け付けられると、第１の状態から第２の状態に切換えられ、第１の状態に設定されていることを条件に警告が発せられる。このため、複数のアラーム時刻に発せられる予定の警告を１回の操作で禁止させることができる。その結果、操作性を向上させることができる。
【００１０】
好ましくは、状態切換手段は、アラーム時刻が経過後に、第２の状態に設定されている場合、前記第１の状態に切換える。
【００１１】
この局面に従えば、アラーム時刻が経過後に第２の状態に設定されている場合、第１の状態に切換えられるので、現在時刻が次にアラーム時刻となった時に、警告を発することができる。このため、アラーム時刻の設定を繰り返し利用することができる。
【００１２】
この発明の他の局面によれば、時計は、複数のアラーム時刻を同一グループに関連付けるグループ化手段と、グループ停止指示を受け付けるグループ停止指示受付手段と、グループ化手段によりグループに関連付けられている複数のアラーム時刻の最先のアラーム時刻より後にグループ停止指示が受け付けられた時に第１の状態から第２の状態に切換える状態切換手段と、グループに関連付けられている複数のアラーム時刻のいずれかになると、第１の状態に設定されていることを条件に警告を発する警告手段と、を備える。
【００１３】
この局面に従えば、グループに関連付けられている複数のアラーム時刻のいずれかになると、警告が発せられるが、最初の警告後にグループ停止指示が受け付けられると、警告されない。このため、複数のアラーム時刻に発せられる予定の警告を１回の操作で禁止させることができる。その結果、操作性を向上させた時計を提供することができる。
【００１４】
好ましくは、グループ化手段により複数のアラーム時刻が関連付けられたグループに起動または解除を設定するための設定手段をさらに備え、警告手段は、グループが起動に設定されていることを条件に、グループに関連付けられている複数のアラーム時刻のいずれかになると警告を発する。
【００１５】
この局面に従えば、複数のアラーム時刻に警告を発する設定またはその設定の解除をすることができるので、バリエーションに富んだアラーム方法を設定することができる。
【００１６】
好ましくは、状態切換手段は、アラーム時刻が経過後に、第２の状態に設定されている場合、第１の状態に切換える。
【００１７】
この局面に従えば、アラーム時刻が経過後に第２の状態に設定されている場合、第１の状態に切換えられるので、現在時刻が次にアラーム時刻となった時に、警告を発することができる。このため、アラーム時刻の設定を繰り返し利用することができる。
【００１８】
好ましくは、警告を停止させるための警告停止指示を受け付ける停止指示受付手段をさらに備え、警告手段は、警告停止指示の受け付けに応じて警告を停止する。
【００１９】
この発明のさらに他の局面によれば、警告プログラムは、複数のアラーム時刻を同一グループに関連付けるステップと、複数のアラーム時刻が関連付けられたグループに起動または解除を設定するステップと、起動に設定されているグループに関連付けられている複数のアラーム時刻のいずれかになると警告を発するステップと、をコンピュータに実行させる。
【００２０】
この局面に従えば、バリエーションに富んだアラーム方法を設定することが可能な警告プログラムを提供することができる。
【００２１】
この発明のさらに他の局面によれば、警告プログラムは、複数のアラーム時刻を同一グループに関連付けるステップと、グループ停止指示を受け付けるステップと、グループに関連付けられている複数のアラーム時刻の最先のアラーム時刻より後にグループ停止指示が受け付けられた時に第１の状態から第２の状態に切換えるステップと、グループに関連付けられている複数のアラーム時刻のいずれかになると、第１の状態に設定されていることを条件に警告を発するステップと、をコンピュータに実行させる。
【００２２】
この局面に従えば、操作性を向上させた警告プログラムを提供することができる。
【発明を実施するための最良の形態】
【００２３】
以下、本発明の実施の形態について図面を参照して説明する。以下の説明では同一の部品には同一の符号を付してある。それらの名称および機能も同じである。したがってそれらについての詳細な説明は繰返さない。
【００２４】
図１は、本発明の実施の形態における携帯電話機の外観を示す斜視図である。図１を参照して、携帯電話機１は、操作側部３と、表示側部２とを含む。操作側部３の内側面には、テンキー、通話キー、第１ソフトキー５Ａ，第２ソフトキー５Ｂおよび指示キー１５等を含む操作キー１４と、マイクロフォン１３と、開閉センサ４とが配置され、内側面に反対の外側面には後述するカメラ２４（図３参照）が配置される。操作側部３の側面には、停止キー１４Ａが配置される。停止キー１４Ａは、ボタンスイッチであり、押下されるとＯＮになる。
【００２５】
表示側部２の内側面には、液晶表示装置（ＬＣＤ）１６と、第１スピーカ１１とが配置される。また、表示側部２の側面には、第２スピーカ１２が配置される。なお、ここでは携帯電話機１がＬＣＤ１６を備える例を示すが、ＬＣＤ１６に代えて、有機ＥＬ（Ｅｌｅｃｔｒｏ  Ｌｕｍｉｎｅｓｃｅｎｃｅ）ディスプレイを用いてもよい。
【００２６】
操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。操作側部３と表示側部２とが開状態にあるか、または閉状態にあるかは、操作側部３に装着された開閉センサ４によって検出される。開閉センサ４は、圧着センサであり、表示側部２の突起部４Ａに押下されるとＯＮになる。また、開閉センサ４に、磁気センサなどの近接センサを用いることができる。
【００２７】
図２は、操作キーが有する指示キーの配置を示す図である。図２を参照して、指示キー１５は、決定キー５、上矢印キー６、下矢印キー７、左矢印キー８および右矢印キー９を含む。決定キー５、上矢印キー６、下矢印キー７、左矢印キー８および右矢印キー９は、ボタンスイッチであり、押下されるとＯＮになる。
【００２８】
図３は、携帯電話機の機能の概要の一例を示す機能ブロック図である。図３を参照して、携帯電話機１は、携帯電話機１の全体を制御するための制御部２１と、アンテナ２２Ａと接続された無線回路２２と、音声データを処理するためのコーデック部２８と、それぞれがコーデック部２８に接続されたマイクロフォン１３および第１スピーカ１１と、アンテナ２３Ａに接続されたチューナ２３と、ＡＶデコーダ２９と、カメラ２４と、ユーザの操作の入力を受付ける操作部２５と、ＬＣＤ１６の表示を制御するための表示制御部３０と、制御部２１の作業領域として使用されるＲＡＭ（Ｒａｎｄｏｍ  Ａｃｃｅｓｓ  Ｍｅｍｏｒｙ）３１と、制御部２１で実行するプログラム等を記憶するためのフラッシュＲＯＭ（Ｆｌｕｓｈ  Ｒｅａｄ  Ｏｎｌｙ  Ｍｅｍｏｒｙ）３２と、振動部２６と、カードインターフェース（Ｉ／Ｆ）２７と、シリアルインターフェースとしての外部通信接続端子３３と、開閉センサ４とを含む。
【００２９】
無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。コーデック部２８は、無線回路２２から入力される音声信号を復号し、復号したデジタルの音声信号をアナログに変換し、増幅し、そして第１スピーカ１１に出力する。また、コーデック部２８は、マイクロフォン１３からアナログの音声信号が入力され、音声信号をデジタルに変換し、符号化し、そして符号化した音声信号を無線回路２２に出力する。
【００３０】
チューナ２３は、アンテナ２３Ａに接続されており、アンテナ２３Ａにより受信された放送信号が入力される。放送信号は、映像データおよび音声データを含む高周波デジタル変調信号である。チューナ２３は、アンテナ２３Ａから入力される高周波デジタル変調信号から特定の周波数の信号を取り出す。また、チューナ２３は、逆インターリーブ回路、誤り訂正回路を備えており、取り出した特定の周波数の高周波デジタル変調信号を復調して符号データをＡＶデコーダ２９に出力する。ＡＶデコーダ２９は、ビデオデコーダおよびオーディオデコーダを備えており、チューナ２３から入力された符号データを復号して映像信号および音声信号を生成し、映像信号を表示制御部３０に出力し、音声信号をＤ／Ａ（デジタル／アナログ）変換して第２スピーカ１２に与える。なお、ここでは、デジタルテレビジョン放送の放送電波を受信して再生する例を示したが、アナログテレビジョン放送の放送電波を受信して再生するようにしてもよい。また、テレビジョン放送に代えて、または、テレビジョン放送に加えて、ラジオ放送の放送電波を受信して再生するようにしてもよい。
【００３１】
表示制御部３０は、制御部２１により制御され、制御部２１から入力される指示に従ってＬＣＤ１６を制御して、ＬＣＤ１６に画像を表示させる。ＬＣＤ１６に表示させる画像は、動画像と静止画像とを含む。
【００３２】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。カメラ２４は、光電変換した画像データの画質を向上させるための画像処理を実行する画像処理回路、画像データをアナログからデジタルに変換するＡ／Ｄ変換回路を備えている。制御部２１は、カメラ２４が出力する静止画データまたは動画データを表示制御部３０に出力し、ＬＣＤ１６に表示させる、または、圧縮符号化方式で静止画データまたは動画データを符号化して、フラッシュＲＯＭ３２またはカードＩ／Ｆ２７に装着されたメモリカード２７Ａに記憶する。これにより、メモリカード２７Ａに映像コンテンツが記録される。
【００３３】
操作部２５は、操作キー１４と、キーバックライト２５Ａとを含む。操作キー１４は、ユーザによる操作の入力を受け付け、受付けた操作を制御部２１に出力する。キーバックライト２５Ａは、制御部２１により制御されて発光する。
【００３４】
カードＩ／Ｆ２７には、着脱可能なメモリカード２７Ａが装着される。メモリカード２７Ａは、例えば、ＣｏｍｐａｃｔＦｌａｓｈ、ＳｍａｒｔＭｅｄｉａ（登録商標）、ＳＤ（Ｓｅｃｕｒｅ  Ｄｉｇｉｔａｌ）／ＭｉｎｉＳＤ／ＭｉｃｒｏＳＤメモリカード、メモリースティック、ＭＭＣ（ＭｕｌｔｉＭｅｄｉａ  Ｃａｒｄ）、ｘＤピクチャーカードなどである。
【００３５】
制御部２１は、カードＩ／Ｆ２７を介して、メモリカード２７Ａにアクセスが可能である。メモリカード２７Ａに映像コンテンツが記録されている場合、制御部２１は、メモリカード２７Ａから映像コンテンツを読出し、映像コンテンツに含まれる符号データをＡＶデコーダ２９に出力する。ＡＶデコーダ２９は、制御部２１から入力された符号データを復号して映像信号および音声信号を生成し、映像信号を表示制御部３０に出力し、音声信号をＤ／Ａ変換して第２スピーカ１２に与える。これにより、映像コンテンツが再生される。
【００３６】
なお、ここでは制御部２１で実行するためのプログラムをフラッシュＲＯＭ３２に記憶しておく例を説明するが、プログラムをメモリカード２７Ａに記憶しておき、メモリカード２７Ａからプログラムを読み出して、制御部２１で実行するようにしてもよい。プログラムを記憶する記録媒体としては、メモリカード２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭなどの半導体メモリ等でもよい。また、携帯電話機１をインターネットに無線回路２２を介して接続し、インターネットに接続されたコンピュータからプログラムをダウンロードして、制御部２１で実行するようにしてもよい。ここでいうプログラムは、制御部２１により直接実行可能なプログラムだけでなく、ソースプログラム、圧縮処理されたプログラム、暗号化されたプログラム等を含む。
【００３７】
本実施の形態における携帯電話機１は、複数のアラームの設定が可能である。図４は、アラーム設定処理の流れの一例を示すフローチャートである。アラーム設定処理は、制御部２１が警告プログラムを実行することにより、制御部２１により実行される処理である。図４を参照して、制御部２１は、ユーザが操作キー１４にアラームの設定を指示すると、制御部２１は、アラーム設定の一覧表示の指示を受け付け、表示制御部３０を制御してＬＣＤ１６にアラーム一覧画面を表示させる（ステップＳ０１）。アラーム一覧画面は、複数のアラームのアラーム名を一覧表示する画面である。
【００３８】
図５は、アラーム一覧画面の一例を示す図である。図５を参照して、アラーム一覧画面は、すべてのアラーム設定のレコードの一部とすべてのグループアラーム設定のレコードの一部とを表示する画面である。アラーム一覧画面は、各レコードのアラーム番号と、アラーム名と、アラーム時刻と、グループとの項目を含む。アラーム番号の項目は、アラーム設定のレコードそれぞれに付されたアラーム番号と、グループアラーム設定のレコードに付されたグループ番号とが表示される。図５では、アラーム番号１〜１０のアラーム設定のレコードの一部の項目と、グループ番号が「Ａ」のグループアラーム設定のレコードの一部の項目が表示されている例を示す。
【００３９】
図４に戻って、アラーム一覧画面を表示すると、制御部２１は、ユーザがアラーム一覧画面に表示されるアラーム設定のレコードのいずれかを選択する指示を受け付けたか否かを判断する（ステップＳ０２）。アラーム設定のレコードのいずれかの選択を受け付けたならば、選択されたアラーム設定のレコードを処理対象に決定し、処理をステップＳ０３に進める。アラーム設定のレコードを選択する指示を受け付けなければ、処理をステップＳ０６に進める。
【００４０】
ステップＳ０３においては、表示制御部３０を制御してＬＣＤ１６にアラーム設定画面を表示させる。アラーム設定画面は、アラーム一覧画面で選択され、ステップＳ０２において処理対象に決定されたアラーム設定のレコードの各種の項目を設定するための領域を含む。
【００４１】
図６は、アラーム設定画面で設定可能な項目の一覧を示す図である。図６を参照して、アラーム設定毎に設定可能な項目は、目覚まし設定と、アラーム名と、アラーム時刻と、繰り返しと、アラーム音と、スヌーズモードと、アラーム音量と、アラーム画像と、バイブレータと、時刻読み上げと、優先設定とを含む。目覚まし設定の項目は、そのアラーム設定を有効にするか、無効にするかを設定するための項目である。有効に設定された場合に、後述するアラーム処理が実行され、アラーム設定の各項目に設定された内容に従ってアラームが発せられる。
【００４２】
アラーム名の項目は、そのアラーム設定に付された名称である。ユーザが任意に名称を付与することが可能である。アラーム時刻の項目は、アラームを発する（アラーム音を鳴動する）時刻を設定するための項目である。繰り返しの項目は、アラームの発生を繰り返す単位を設定するための項目である。例えば、毎日繰り返す、または、１週間のうちの指定された曜日に繰り返す設定が可能である。
【００４３】
アラーム音の項目は、アラーム時刻に発するアラーム音の種類を設定するための項目である。予めフラッシュＲＯＭ３２に記憶された音のうちから指定される。フラッシュＲＯＭ３２に複数種類の音を記憶するようにすれば、アラーム設定毎に異なる音をアラーム音として設定することができる。スヌーズモードの項目は、スヌーズ機能のＯＮとＯＦＦの切り替えと、スヌーズ時間の設定とをするための項目である。１〜１０分の範囲でスヌーズ時間を設定することができる。アラーム音量の項目は、発せられるアラーム音の音量を設定するための項目である。アラーム設定毎に異なる音量を設定することができる。
【００４４】
アラーム画像の項目は、アラーム時刻にＬＣＤ１６に表示する画像を指定するための項目である。フラッシュＲＯＭ３２に記憶された画像のうちから指定される。フラッシュＲＯＭ３２に複数種類の画像を記憶するようにすれば、アラーム設定毎に異なる画像をＬＣＤ１６に表示させる設定をすることができる。
【００４５】
バイブレータの項目は、アラーム時刻に振動部２６を振動させるか否かの設定と、振動させる場合に複数種類の振動パターンのうちからいずれかを選択する設定をするための項目である。時刻読み上げの項目は、アラーム時刻にアラーム時刻を音声合成して出力するか否かを設定するための項目である。優先設定は、アラーム設定を優先するか、マナーモードの設定を優先するかのいずれかを設定するための項目である。
【００４６】
図４に戻って、制御部２１は、図６に示したアラーム設定のための項目が、アラーム設定画面に従ってユーザにより操作部２５に入力されると、入力されたアラーム設定の各項目の内容を受け付ける（ステップＳ０４）。そして、受け付けた各項目の内容からなるアラーム設定のレコードをフラッシュＲＯＭ３２に記憶し（ステップＳ０５）、処理を終了する。
【００４７】
なお、アラーム番号は、アラーム設定を識別するための情報であるが、アラーム設定を識別するための情報としてアラーム名を用いてもよい。
【００４８】
目覚まし設定がＯＮに設定されているアラーム設定については、アラーム時刻になると、アラーム設定の項目に設定された他の内容に従って、アラーム音および振動が発生され、画像が表示される。複数のアラーム設定ごとに各内容を設定可能であるため、複数のアラーム設定毎に異なるアラーム音および振動パターンを発生させる設定をすることができ、アラーム設定毎に異なる画像を表示させる設定をすることができる。
【００４９】
一方、ステップＳ０６においては、制御部２１は、ユーザがアラーム一覧画面に表示されるアラーム設定をグループ化する指示を受け付けたか否かを判断する。グループ化する指示を受け付けたならば、処理をステップＳ０７に進め、そうでなければ処理をステップＳ１０に進める。グループ化する指示は、操作キー１４に予めグループ化する指示を受け付けるためのキーを割り当てておけばよい。
【００５０】
ステップＳ０７においては、アラーム番号の指定を受け付ける。ユーザが操作部２５の操作キー１４を操作して、アラーム一覧画面に表示されているアラーム設定のアラーム番号を選択する指示を入力すれば、選択されたアラーム番号を受け付ける。そして、選択の受け付けが終了したか否かを判断する（ステップＳ０８）。操作部２５の操作キー１４に予め割り当てられた選択の終了を受け付けるためのキーが押下されたことを検出すると、選択の受け付けが終了したと判断する。選択の受け付けが終了したならば処理をステップＳ０９に進め、終了していなければ処理をステップＳ０７に戻す。複数のアラーム番号の選択を受け付けるためである。
【００５１】
ステップＳ０９においては、ステップＳ０７で受け付けられた複数のアラーム番号のアラーム設定を１つのグループに関連付ける。具体的には、グループテーブルを作成し、フラッシュＲＯＭ３２に記憶する。なお、ここでは、設定された複数のアラーム設定を関連付けることにより、グループ化するようにしたが、グループを先に決定し、グループに含まれる複数のアラーム設定の各項目の内容を受け付けることにより、複数のアラーム設定を関連付けるようにしてもよい。
【００５２】
図７は、グループテーブルの一例を示す図である。図７を参照して、グループテーブルは、アラーム番号の項目と、グループ番号の項目とを含む。グループテーブルは、アラーム番号毎にグループ番号を対応付ける。ここでは、アラーム番号１〜３のアラーム設定が、グループ番号Ａのグループにグループ化されている例を示している。グループ番号の項目が、「なし」に設定されているアラーム番号のアラーム設定は、グループ化されていないことを示す。
【００５３】
図４に戻って、制御部２１は、ステップＳ１０において、ユーザがアラーム一覧画面に表示されるグループアラーム設定のレコードを選択する指示を受け付けたか否かを判断する。グループアラーム設定のレコードを選択する指示を受け付けたならば、選択されたグループアラーム設定のレコードを処理対象に決定し、処理をステップＳ１１に進める。グループアラーム設定のレコードを選択する指示を受け付けなければ、処理をステップＳ０２に戻す。グループアラーム設定のレコードは、目覚まし設定の項目を含む。目覚まし設定の項目は、ＯＮまたはＯＦＦのいずれかに設定される。デフォルト値はＯＦＦである。
【００５４】
グループアラーム設定の目覚まし設定をＯＮに設定することにより、そのグループアラーム設定に含まれるすべてのアラーム設定に従ったアラームが有効となる。このため、複数のアラーム設定の目覚まし設定をＯＮに設定する必要がなく、グループアラーム設定の目覚まし設定をＯＮに設定する簡単な操作で、複数のアラーム設定を有効にすることができる。また、複数のアラーム設定は、アラーム音の種類、アラーム音の音量、振動パターン、表示する画像が異なる設定をすることができるので、グループアラーム設定の目覚まし設定をＯＮに設定する簡単な操作で、多種類のアラーム設定を有効にすることができる。
【００５５】
ステップＳ１１においては、目覚まし設定を切り替え、処理を終了する。具体的には、フラッシュＲＯＭ３２に記憶されているグループアラーム設定の目覚まし設定がＯＮに設定されていれば、その設定をＯＦＦに書き換え、ＯＦＦに設定されていればＯＮに書き換える。
【００５６】
本実施の形態における携帯電話機１は、グループアラーム設定のレコードに含まれる目覚まし設定をＯＮおよびＯＦＦのいずれかに切り替えることにより、グループ化された複数のアラーム設定の目覚まし設定を切り替える。複数のアラーム設定を有効にするために、携帯電話機１は、グループアラーム設定における目覚まし設定がＯＮに設定されると、グループフラグテーブルを生成し、フラッシュＲＯＭ３２に記憶する。そして、このグループフラグテーブルを参照することにより、グループテーブルで関連付けられた複数のアラーム設定に基づいて、アラーム動作を実行する。
【００５７】
図８は、グループフラグテーブルの一例を示す図である。ここでは、グループ名称が「グループＡ」のグループアラーム設定の目覚まし設定がＯＮに設定された場合を例に示している。図８を参照して、グループフラグテーブルは、アラーム番号の項目と、鳴動不可フラグの項目と、グループアラーム中フラグの項目とを含む。鳴動不可フラグの項目は、アラーム番号それぞれに対応して、ＯＮ（第２の状態）とＯＦＦ（第１の状態）とが設定可能である。鳴動不可フラグは、それに対応するアラーム設定の有効または無効を設定するためのフラグであり、ＯＮに設定されている場合には対応するアラーム設定に設定されているアラーム時刻になってもアラーム音を発するのが禁止され、ＯＦＦに設定されている場合には対応するアラーム設定に設定されているアラーム時刻になるとアラーム音が発せられる。鳴動不可フラグの初期値は、ＯＦＦである。
【００５８】
グループアラーム中フラグの項目は、グループＡに属するアラーム番号のすべてに対して１つが設定され、換言すればグループＡに対応して設定され、ＯＮとＯＦＦとのいずれかに設定可能である。グループアラーム中フラグは、グループＡに属するアラーム設定で設定されている複数のアラーム時刻のうち最も先の時刻から最も後の時刻までの期間はＯＮに設定され、その以外の期間はＯＦＦに設定される。
【００５９】
図９および図１０は、アラーム処理の流れの一例を示すフローチャートである。アラーム処理は、制御部２１が警告プログラムを実行することにより、制御部２１により実行される処理である。このアラーム処理は、所定時間間隔、例えば１分間隔で実行される。図９および図１０を参照して、制御部２１は、まず現在時刻がアラーム時刻になったか否かを判断する（ステップＳ２１）。現在時刻がアラーム時刻になるまで待機状態となり、アラーム時刻になると処理をステップＳ２２に進める。アラーム時刻は、目覚まし設定の項目がＯＮに設定されているアラーム設定に含まれるアラーム時刻である。また、目覚まし設定の項目がＯＮに設定されているグループアラーム設定が存在する場合には、アラーム時刻は、そのグループアラーム設定に属するすべてのアラーム設定のいずれかのアラーム時刻である。
【００６０】
次のステップＳ２２においては、グループアラームか否かを判断する。グループアラームか否かは、アラーム時刻となったアラーム設定が属するグループアラーム設定の目覚まし設定により判断する。アラーム時刻となったアラーム設定がいずれかのグループに属し、そのグループの目覚まし設定がＯＮに設定されていれば、グループアラームと判断する。グループアラームであれば、グループフラグテーブルを更新し、処理をステップＳ２３に進める。以下、グループ番号が「Ａ」のグループアラーム設定がＯＮに設定されている場合を例に説明する。この段階におけるグループフラグテーブルは、図８に示される。図８を参照して、鳴動不可フラグは、すべてＯＦＦに設定され、グループアラーム中フラグがＯＦＦに設定される。
【００６１】
図９に戻って、ステップＳ２２において、グループアラームでないと判断された場合、処理をステップＳ２８に進める。処理をステップＳ２８に進める場合は、単独のアラーム設定に基づくアラーム処理と同様である。
【００６２】
ステップＳ２３においては、鳴動付加フラグがＯＮか否かを判断する。グループフラグテーブルにおいて、現在時刻に対応するアラーム時刻が設定されているアラーム設定のアラーム番号に対応する鳴動不可フラグを参照する。鳴動不可フラグがＯＮに設定されていれば処理をステップＳ４１に進めるが、ＯＦＦに設定されていれば処理をステップＳ２４に進める。鳴動不可フラグは、初期値にＯＦＦが設定され、後述するステップＳ３７においてＯＮに設定される。
【００６３】
ステップＳ２４においては、グループアラームの初回のアラーム時刻か否かを判断する。グループアラーム設定に含まれる複数のアラーム設定で設定されている最も先のアラーム時刻か否かを判断する、初回のアラーム時刻ならば処理をステップＳ２５に進め、そうでなればステップＳ２５をスキップして、処理をステップＳ２６に進める。ステップＳ２５においては、グループアラーム中フラグをＯＮに設定し、処理をステップＳ２６に進める。この段階におけるグループフラグテーブルを図１１（Ａ）に示す。
【００６４】
ステップＳ２６においては、グループアラーム最終時刻か否かを判断する。グループアラームに含まれる複数のアラーム設定で設定されている最も後のアラーム時刻か否かを判断する、最終のアラーム時刻ならば処理をステップＳ２７に進め、そうでなれば処理をステップＳ３８に進める。ステップＳ２７においては、グループアラーム中フラグをＯＦＦに設定し、処理をステップＳ２８に進める。この段階におけるグループフラグテーブルを図１１（Ｄ）に示す。
【００６５】
ステップＳ２８においては、現在時刻をアラーム時刻とするアラーム設定に従って、アラーム音を鳴動させる。次のステップＳ２９においては、アラーム停止指示を受け付けたか否かを判断する。操作キー１４の停止キー１４Ａが押下されると、制御部２１は、アラーム停止指示を操作キー１４から受け付ける。アラーム停止指示を受け付けたならば処理をステップＳ３０に進め、受け付けなければ処理をステップＳ２８に戻す。ステップＳ３０においては、アラーム音の鳴動を停止させる。ユーザが停止キー１４Ａを押下するまでアラーム音が鳴動する。
【００６６】
ステップＳ３１においては、グループアラーム中フラグがＯＮに設定されているか否かを判断する。グループアラーム中フラグがＯＮに設定されていれば処理をステップＳ３２に進め、ＯＦＦに設定されていれば処理を終了する。グループアラーム中フラグがＯＮに設定されていれば、グループアラーム設定に含まれるアラーム設定のいずれかで設定されているアラーム時刻に未だ到達していないため、処理を繰り返し実行するが、グループアラーム中フラグがＯＦＦに設定されていれば、グループアラーム設定に含まれるアラーム設定で設定されているすべてのアラーム時刻を経過しているため処理を終了する。なお、グループアラーム設定に含まれるアラーム設定で設定されている最後のアラーム時刻を経過しているか否かを判断するようにしてもよい。
【００６７】
ステップＳ３２においては、グループアラーム解除を表示し、ステップＳ３３においては、「解除」ソフトキーを表示する。ここでは、グループアラーム解除表示と「解除」ソフトキーとを含むグループアラーム解除画面を、ＬＣＤ１６に表示する。
【００６８】
図１２は、グループアラーム解除画面の一例を示す図である。図１２を参照して、グループアラーム解除画面は、グループアラーム解除表示としての「起床用目覚ましグループを解除しますか？」のメッセージと、「解除」の文字が表されたソフトキーとを含む。ソフトキーは、操作キーのうち決定キー５に割り当てられる。決定キー５が押下されると、グループアラームを解除する指示（グループ停止指示）を受け付ける。
【００６９】
図９および図１０に戻って、ステップＳ３４においては、ステップＳ２１と同様に、現在時刻がアラーム時刻か否かを判断する。現在時刻がアラーム時刻ならば処理をステップＳ２２に戻し、そうでなければ処理をステップＳ３５に進める。ステップＳ３５においては、キー入力を受け付けたか否かを判断する。キー入力を受け付けたならば処理をステップＳ３６に進め、そうでなければ処理をステップＳ３４に進める。ステップＳ３６においては、受け付けられたキーが、グループアラーム解除キー、ここでは決定キー５か否かを判断する。グループアラーム解除キーである決定キー５の入力を受け付けたならば処理をステップＳ３７に進めるが、そうでなければ処理をステップＳ３４に戻す。すなわち、次のアラーム時刻になるまで、またはグループアラーム解除キーの入力を受け付けるまで待機状態となる。
【００７０】
ステップＳ３７においては、未到達のアラーム設定に対応する鳴動不可フラグのすべてをＯＮ（第２の状態）に設定し、処理を終了する。未到達のアラーム設定は、グループアラームに含まれるアラーム設定のうち現在時刻より後のアラーム時刻が設定されているアラーム設定である。このため、未到達のアラーム設定に設定されている時刻になった時に、鳴動不可フラグがＯＮに設定されているため、アラーム音を鳴動させないようにすることができる。
【００７１】
図１１（Ｂ）は、アラーム番号「１」のアラーム設定で設定されているアラーム時刻である７：００の時点に、グループアラーム解除キーの入力を受け付けた場合におけるグループフラグテーブルを示す。アラーム番号「２」のアラーム設定で設定されているアラーム時刻は７：１５、アラーム番号「３」のアラーム設定で設定されているアラーム時刻は７：３０なので、いずれも未到達のアラーム設定である。したがって、アラーム番号「２」に対応する鳴動不可フラグと、アラーム番号「３」に対応する鳴動不可フラグとが、ともにＯＮに設定される。
【００７２】
図９および図１０を参照して、処理がステップＳ３８に進む場合、現在時刻がアラーム時刻であり、そのアラーム時刻が設定されているアラーム設定が、アラームグループのうちで最後のアラーム時刻でない場合である。この場合には、ステップＳ３８において、現在時刻をアラーム時刻とするアラーム設定に従って、アラーム音を鳴動させ、処理をステップＳ３９に進める。次のステップＳ３９においては、アラーム停止指示を受け付けたか否かを判断する。操作キー１４のいずれかが押下されると、制御部２１は、アラーム停止指示を操作キー１４から受け付ける。アラーム停止指示を受け付けたならば処理をステップＳ４０に進め、受け付けなければ処理をステップＳ３８に戻す。ステップＳ４０においては、アラーム音の鳴動を停止させ、処理をステップＳ３２に進める。ユーザが操作キー１４のいずれかが押下されるまでアラーム音が鳴動する。
【００７３】
一方、処理をステップＳ４１に進める場合、現在時刻がアラーム時刻となったアラーム設定に対応する鳴動不可フラグがＯＮに設定されている場合である。この場合には、鳴動不可フラグをＯＦＦに設定し、処理をステップＳ４２に進める。ステップＳ３７において、鳴動不可フラグが一度ＯＮに設定した場合には、その鳴動不可フラグに対応するアラーム設定で設定されたアラーム時刻になってもアラーム音が鳴動されないようにして、次に現在時刻がアラーム時刻になった時に、アラーム音を鳴動させることができる。
【００７４】
図１１（Ｃ）は、グループアラーム解除後に、アラーム番号「２」のアラーム設定で設定されるアラーム時刻７：１５におけるグループフラグテーブルの一例を示す図である。図１１（Ｃ）を参照して、アラーム番号「２」に対応する鳴動不可フラグがＯＦＦに設定される。
【００７５】
図９および図１０に戻って、ステップＳ４２においては、アラーム時刻がグループアラームのうちで最後のアラーム時刻か否かを判断する。最後のアラーム時刻ならば処理をステップＳ４３に進め、そうでなければステップＳ４３をスキップして、処理を終了する。ステップＳ４３においては、グループアラーム中フラグをＯＦＦに設定し、処理を終了する。
【００７６】
図１１（Ｄ）は、グループアラーム解除後に、アラーム番号「３」のアラーム設定で設定されるアラーム時刻７：３０におけるグループフラグテーブルの一例を示す図である。図１１（Ｄ）を参照して、アラーム番号「３」に対応する鳴動不可フラグがＯＦＦに設定され、グループアラーム中フラグがＯＦＦに設定される。
【００７７】
なお、ここでは、グループアラーム中フラグを用いるようにしたが、現在時刻が、グループアラームに含まれる複数のアラーム設定で設定されている最先のアラーム時刻と、最後のアラーム時刻の間であるか否かを、ステップＳ３１において判断するようにすれば、グループアラーム中フラグは、不要である。
【００７８】
以上説明したように本実施の形態における携帯電話機１は、複数のアラーム時刻を同一グループにグループアラーム設定によって関連付け、グループアラーム設定毎に目覚まし設定をＯＮまたはＯＦＦに設定可能である。グループアラーム設定の目覚まし設定がＯＮに設定されていると、グループアラーム設定に含まれる複数のアラーム設定の複数のアラーム時刻のいずれかになると警告を発する。グループアラーム設定によって同一グループに関連付けられる複数のアラーム設定は、互いに異なるアラーム音、音量、振動パターンおよび出力する画像を設定することができる。このため、グループアラーム設定の目覚まし設定をＯＮにするだけで、複数のアラーム設定に基づくアラームを発することができるので、バリエーションに富んだアラーム方法を簡単な操作で設定することができる。
【００７９】
また、目覚まし設定がＯＮに設定されているグループアラーム設定に含まれる複数のアラーム設定のうち最先のアラーム時刻後にグループアラームを解除する指示、ここでは決定キー５の入力を受け付けると、未到達のアラーム時刻が設定されたアラーム設定に対応する鳴動不可フラグをＯＮに設定するので、グループアラームに設定されている複数のアラーム設定の中で、鳴動していないアラーム設定を解除することができる。その結果、操作性を向上させることができる。
【００８０】
また、鳴動不可フラグは、ＯＮに設定されている場合、アラーム時刻が経過後に、ＯＦＦに設定されるので、現在時刻が次にアラーム時刻となった時に、警告を発することができ、アラーム時刻の設定を繰り返し利用することができる。
【００８１】
なお、本実施の形態においては時計の一例として携帯電話機１を例に説明したが、図１３に示す置き型の目覚まし時計１００であってもよい。
【００８２】
また、本実施の形態においては、携帯電話機１を説明したが、図４、図９および図１０等に示したアラーム処理をコンピュータに実行させるための警告方法または警告プログラムとして発明を捉えることができるのは言うまでもない。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８４】
【図１】本発明の実施の形態における携帯電話機の外観を示す斜視図である。
【図２】操作キーが有する指示キーの配置を示す図である。
【図３】携帯電話機の機能の概要の一例を示す機能ブロック図である。
【図４】アラーム設定処理の流れの一例を示すフローチャートである。
【図５】アラーム一覧画面の一例を示す図である。
【図６】アラーム設定画面で設定可能な項目の一覧を示す図である。
【図７】グループテーブルの一例を示す図である。
【図８】グループフラグテーブルの一例を示す図である。
【図９】アラーム処理の流れの一例を示す第１のフローチャートである。
【図１０】アラーム処理の流れの一例を示す第２のフローチャートである。
【図１１】グループフラグテーブルの具体例を示す図である。
【図１２】グループアラーム解除画面の一例を示す図である。予定時刻決定処理の流れの一例を示すフローチャートである。
【図１３】置き型の目覚まし時計の外観を示す斜視図である。
【符号の説明】
【００８５】
１  携帯電話機、２  表示側部、３  操作側部、４  開閉センサ、４Ａ  突起部、５  決定キー、６  上矢印キー、７  下矢印キー、８  左矢印キー、９  右矢印キー、１１  第１スピーカ、１２  第２スピーカ、１３  マイクロフォン、１４  操作キー、１４Ａ  停止キー、１５  指示キー、２１  制御部、２２  無線回路、２２Ａ  アンテナ、２３  チューナ、２３Ａ  アンテナ、２４  カメラ、２５  操作部、２５Ａ  キーバックライト、２６  振動部、２７  カードＩ／Ｆ、２７Ａ  メモリカード、２８  コーデック部、２９  ＡＶデコーダ、３０  表示制御部、３１  ＲＡＭ、３２  フラッシュＲＯＭ、３３  外部通信接続端子、１００  目覚まし時計。
【図１】
2008249474.tif 000003
【図２】
2008249474.tif 000004
【図３】
2008249474.tif 000005
【図４】
2008249474.tif 000006
【図５】
2008249474.tif 000007
【図６】
2008249474.tif 000008
【図７】
2008249474.tif 000009
【図８】
2008249474.tif 000010
【図９】
2008249474.tif 000011
【図１０】
2008249474.tif 000012
【図１１】
2008249474.tif 000013
【図１２】
2008249474.tif 000014
【図１３】
2008249474.tif 000015